(57)【要約】【課題】  放熱性を最大限に考慮することにより、冷温を長時間に亘り持続することのできる、柔軟でのり心地のよいクッション及び該クッションを用いたペット用マット並びに該クッションの製造方法を提供する。【解決手段】  少なくとも通気口が形成された通気シートとしての網状シート１１の上側に複数の冷却部材としての冷却プレート１２を平面状に並べて配設した冷却シート材１８と、前記網状シート１１の下側にクッション体１５を設ける。冷却シート材１８の下側に下面シートとしての網状シート１４を設けて冷却シート材１８と網状シート１４との間に、クッション素材としての薄肉短筒片１５ａを充填する。【選択図】          図１
2006198153.tif 000002
【特許請求の範囲】
【請求項１】
少なくとも通気口が形成された通気シートの上側に複数の冷却部材を有する冷却シート材と、前記冷却シート材の前記通気シートの下側にクッション体を設ける構成としたことを特徴とするクッション。
【請求項２】
前記通気シートは、網状シートであることを特徴とする請求項１に記載のクッション。
【請求項３】
前記冷却シート材の上側にカバーシートを設け、前記冷却シート材の前記通気シートと前記カバーシートとを結合させて形成した複数の小袋部に、前記冷却部材をそれぞれ収容する構成としたことを特徴とする請求項２に記載のクッション。
【請求項４】
前記冷却部材は矩形状でなり、前記通気シートと前記カバーシートとを升目状に結合させて形成した複数の矩形の小袋部に前記冷却部材をそれぞれ収容することにより、前記冷却部材が、互いの辺同士を隣り合わせた状態で縦横に配列される構成としたことを特徴とする請求項３に記載のクッション。
【請求項５】
前記冷却部材は、アルミニウム、銅、銀その他の高熱伝導材よりなるプレートであることを特徴とする請求項１乃至請求項４のうち、いずれか１に記載のクッション。
【請求項６】
前記クッション体は、前記冷却シート材の下側に下面シートを設けて前記冷却シート材と前記下面シートとの間に、クッション素材を有する構成としたことを特徴とする請求項１乃至請求項５のうち、いずれか１に記載のクッション。
【請求項７】
前記下面シートは、少なくとも通気口が形成された通気シートであることを特徴とする請求項６に記載のクッション。
【請求項８】
前記クッション体は、上面側、又は、上面側及び下面側に通気口が形成された袋内にクッション素材を有することを特徴とする請求項１乃至請求項５のうち、いずれか１に記載のクッション。
【請求項９】
前記クッション素材は、可撓性合成樹脂よりなる多数の薄肉短筒片でなり、前記通気口よりも大きい寸法で形成されるものであることを特徴とする請求項６乃至請求項８のうち、いずれか１に記載のクッション。
【請求項１０】
請求項１乃至請求項９のいずれか１に記載のクッションをマット本体とし、前記マット本体を直接、又は、下面側を通気シートで構成し上面側は防水性を有する合成樹脂で構成した外袋に入れた状態で、枠体の通気シートで形成された底面部に載置して構成したことを特徴とするペット用マット。
【請求項１１】
少なくとも通気口が形成された通気シートの上にカバーシートを設け、これらの周縁部を、横方向の２本の結合線と前記２本の結合線の一端同士を連結する縦方向の１本の結合線とでコ字状に結合し、１辺が開口した矩形の大袋を形成する工程と、
前記大袋の前記横方向の２本の結合線と略平行な複数の結合線によって前記通気シートと前記カバーシートとを結合し、同じ側に開口を有して略平行に並ぶ複数の横長袋を形成する工程と、
前記各横長袋の前記開口より冷却部材を１ずつ奥端まで挿入し、挿入された前記冷却部材の大きさに合わせて縦方向の結合線によって前記通気シートと前記カバーシートとを結合することにより、前記冷却部材を収容保持し、前記冷却部材の列毎の挿入と前記冷却部材の収容保持のための縦方向の結合とを繰り返すことにより、最終的に全数の前記冷却部材を収容保持する形成する工程と、
前記通気シートの下側にクッション体を設ける工程と
を有することを特徴とするクッションの製造方法。
【発明の詳細な説明】
【技術分野】
【０００１】
本発明は、主としてペットが体をのせることにより、体の熱を冷ます効果のあるクッション及び該クッションを用いたペット用マット並びに該クッションの製造方法に関するものである。
【背景技術】
【０００２】
ペットの体熱を冷ます敷物として、従来より大理石プレートやアルミプレートが使用されてきたが、これらは大きな一枚もののプレートであるため、クッション性に欠けるという問題があった。
【０００３】
それに対し、ペット用ではないが、人が頭を載せる枕として、従来、図１４や図１５に示すような、クッション材の上面に陶磁器製の駒を多数並べた枕が知られている。
【０００４】
図１４に示す枕は、特許文献１に記載されているもので、下地布２１１の上に多数の陶磁器製の駒２１２を配置し、上からナイロンネット２１３を被せて動かないように固定すると共に、下地布２１１の下側に下面布２１４をあてがって、下地布２１１と下面布２１４との間に形成した空間にクッション材としてのスポンジ２１５を収容したものである。
【０００５】
また、図１５に示す枕は、特許文献２に記載されているもので、布カバー３１１の上に多数の陶磁器製の駒３１２を配置し、各駒３１２を支持枠３１３で動かないように支持すると共に、布カバー３１１の下側に、布袋３１４に無数の軟質合成樹脂製の薄肉短管３１５ａを充填したクッション材３１５を収納したものである。
【０００６】
【特許文献１】実開昭６１−１３１９７０号公報（図２）
【特許文献２】実開平３−２７７７５号公報（図２、図４）
【発明の開示】
【発明が解決しようとする課題】
【０００７】
図１４、図１５に示した枕は、枕としての柔軟性をクッション材２１５、３１５により確保すると共に、クッション材２１５、３１５の上に配置した陶磁器製の駒２１２、３１２により、一時的に頭部を冷やす効果を得ている。しかしながら、図１４、図１５に示した枕は、駒２１２、３１２の放熱性が確保できる構成とはなっておらず、冷却効果を発揮する駒２１２、３１２が使用時間の経過と共にいったん温まってしまうと、冷たい感触を持続することができないという問題があった。
【０００８】
本発明は、上記事情を考慮し、放熱性を十分に確保できる構成とすることにより、冷温を長時間に亘り持続することのできる、柔軟でのり心地のよいクッション及び該クッションを用いたペット用マット並びに該クッションの製造方法を提供することを目的とする。
【課題を解決するための手段】
【０００９】
請求項１に記載のクッションは、少なくとも通気口が形成された通気シートの上側に複数の冷却部材を有する冷却シート材と、前記冷却シート材の前記通気シートの下側にクッション体を設ける構成としたことを特徴とする。また、請求項２に記載のクッションは、前記通気シートが、網状シートであることを特徴とする。また、請求項３に記載のクッションは、前記冷却シート材の上側にカバーシートを設け、前記冷却シート材の前記通気シートと前記カバーシートとを結合させて形成した複数の小袋部に、前記冷却部材をそれぞれ収容する構成としたことを特徴とする。また、請求項４に記載のクッションは、前記冷却部材は矩形状でなり、前記通気シートと前記カバーシートとを升目状に結合させて形成した複数の矩形の小袋部に前記冷却部材をそれぞれ収容することにより、前記冷却部材が、互いの辺同士を隣り合わせた状態で縦横に配列される構成としたことを特徴とする。また、請求項５に記載のクッションは、記冷却部材が、アルミニウム、銅、銀その他の高熱伝導材よりなるプレートであることを特徴とする。また、請求項６に記載のクッションは、前記クッション体が、前記冷却シート材の下側に下面シートを設けて前記冷却シート材と前記下面シートとの間に、クッション素材を有する構成としたことを特徴とする。
【００１０】
また、請求項７に記載のクッションは、前記下面シートが、少なくとも通気口が形成された通気シートであることを特徴とする。また、請求項８に記載のクッションは、前記クッション体が、上面側、又は、上面側及び下面側に通気口が形成された袋内にクッション素材を有することを特徴とする。また、請求項９に記載のクッションは、前記クッション素材が、可撓性合成樹脂よりなる多数の薄肉短筒片でなり、前記通気口よりも大きい寸法で形成されるものであることを特徴とする。また、請求項１０に記載のペット用マットは、請求項１乃至請求項９のいずれか１に記載のクッションをマット本体とし、前記マット本体を直接、又は、下面側を通気シートで構成し上面側は防水性を有する合成樹脂で構成した外袋に入れた状態で、枠体の通気シートで形成された底面部に載置して構成したことを特徴とする。また、請求項１１に記載のクッションの製造方法は、少なくとも通気口が形成された通気シートの上にカバーシートを設け、これらの周縁部を、横方向の２本の結合線と前記２本の結合線の一端同士を連結する縦方向の１本の結合線とでコ字状に結合し、１辺が開口した矩形の大袋を形成する工程と、前記大袋の前記横方向の２本の結合線と略平行な複数の結合線によって前記通気シートと前記カバーシートとを結合し、同じ側に開口を有して略平行に並ぶ複数の横長袋を形成する工程と、前記各横長袋の前記開口より冷却部材を１ずつ奥端まで挿入し、挿入された前記冷却部材の大きさに合わせて縦方向の結合線によって前記通気シートと前記カバーシートとを結合することにより、前記冷却部材を収容保持し、前記冷却部材の列毎の挿入と前記冷却部材の収容保持のための縦方向の結合とを繰り返すことにより、最終的に全数の前記冷却部材を収容保持する形成する工程と、前記通気シートの下側にクッション体を設ける工程とを有することを特徴とする。
【発明の効果】
【００１１】
請求項１及び請求項２に記載のクッションによれば、通気シート（網状シート）の通気口を通して冷却部材とクッション体との間で空気の移動が自由にできるため、冷却部材の熱を通気性の良好なクッション体側に有効に逃がすことができ、高い放熱性能を発揮できる。従って、冷却部材の冷たい感触を常に維持することができ、クッション上のペットに対して長時間に亘って快適な冷感を提供することができる。また、複数の冷却部材を網状シートを介してクッション体の上に配列しているため、柔軟で弾力性のある乗り心地を提供することができる。
【００１２】
請求項３に記載のクッションによれば、通気シートの上にカバーシートを被せ、通気シートとカバーシートとを結合して形成した複数の小袋部に冷却部材をそれぞれ収容しているので、体裁よくコストをかけずに冷却部材を保持することができる。また、冷却部材をカバーシートで覆うため、外観向上のための冷却部材の表面仕上の工程を省略することが可能であり、コストダウンに貢献できる。
【００１３】
請求項４に記載のクッションによれば、冷却部材を矩形状に形成し、通気シートとカバーシートとを升目状に結合して形成した矩形の小袋部にそれぞれ冷却部材を収容しているので、複数の冷却部材同士を効率的に密に並べることができ、冷感の増進に貢献できる。
【００１４】
請求項５に記載のクッションによれば、冷却部材として、アルミニウム、銅、銀などの高熱伝導材よりなるものを使用しているので、陶磁器製の駒とは比較にならないほどの冷たい感触を長時間に亘り持続的に提供することができる。特に銅製の冷却プレートを使用した場合は、銅による殺菌効果も期待できるため、ペット用の敷物として衛生面で好適である。
【００１５】
請求項６又は請求項７に記載のクッションによれば、冷却シート材の下側に下面シートを設けて冷却シート材と前記下面シートとの間に、クッション素材を有する構成としたので、冷却シート材とクッション体とが一体となり、ペット等からの熱を吸収した冷却部材の下方向への放熱が十分に確保され、また、前記下面シートを通気口が形成された通気シートとしたため、クッション体内にこもる熱の外部への放熱性が十分に確保される。
【００１６】
請求項８に記載のクッションによれば、冷却部材と通気シートからなる冷却シート材とクッション体とを別体で構成しているので、必要なときだけ冷感クッション仕様とすることができ、また、冷却シート材だけのクリーニング等が可能となる。
【００１７】
請求項９に記載のクッションによれば、クッション素材は、多数の可撓性合成樹脂よりなる薄肉短筒片であるため、良好な柔軟性を確保するとともに、クッション体の内部に適度な空間（隙間）を設けることができ十分な熱交換性を期待することができる。また、前記クッション素材は、請求項６に記載の冷却シート材の通気シートの通気口、請求項７に記載の下面シートとしての通気シートの通気口、又は、請求項８に記載の袋の通気口よりも大きい寸法で形成されるため、前記各通気口からクッション素材が通り抜けることがなく、クッション素材が冷却部材の上側に移動することを防止でき、冷却効果を維持するとともに、滑らかな乗り心地を提供できる。
【００１８】
請求項１０に記載のペット用マットによれば、マット本体として、請求項１乃至請求項９のいずれかに記載のクッションを使用し、該クッションを、枠体の底面部の網状シートの上に載せる構成としたので、底面側の通気を確保することができ、枠体に収めた状態でも冷却部材の放熱性を高く維持することができる。
【００１９】
請求項１１のクッションの製造方法によれば、効率よく体裁の良い冷感クッションを簡易に製造することができる。
【発明を実施するための最良の形態】
【００２０】
以下、本発明の実施形態を図面を参照しながら説明する。図１（ａ）は、本発明によるクッション１０の一部を破断して示す斜視図、（ｂ）は、クッション１０の材料構成を示す模式図である。
【００２１】
クッション１０は、主にペット用のクール用品として使用されるもので、通気口を有する通気シートとしての網状シート１１の上に、高熱伝導材よりなる多数の矩形状の冷却部材としての冷却プレート１２を有し、網状シート１１の下側にはクッション体１５を設けたものである。
【００２２】
通気口を有する通気シートは、少なくとも通気口を有するものであって、例えば、樹脂製の紐を編んで構成した網状シート１１や、一枚の薄いシートに多数の孔を有するもの（不図示）等を使用することができ、通常の布のような部材よりも通気性に優れるものである。
【００２３】
図２に示すように、冷却プレート１２は、高熱伝導性金属であるアルミニウムよりなり、その形状とサイズは、大きすぎると柔軟性が劣ったり折れ曲がりやすくなったりし、小さすぎると冷却性や製造性が低下するので、例えば、縦Ｌ１＝５ｃｍ、横Ｌ２＝３．５ｃｍ程度の矩形板のものを使用するのが好適である。なお、サイズは全部揃えるのが効率的ではあるが、必ずしも同じサイズに統一しなくてもよく、クッションの周縁部側に配置される冷却プレートについては小さくする等、配設箇所に応じてサイズを異ならせてもよい。
【００２４】
冷却プレート１２は、網状シート１１の上に設けられている（以下、これらを冷却シート材１８ともいう。）。冷却プレート１２は、網状シート１１の上にカバーシートとしてのカバー布１３を被せ、網状シート１１とカバー布１３を縫製することで形成した小袋部１７にそれぞれ収容する。本実施の形態では、同一サイズの矩形の冷却プレート１２を使用するので、網状シート１１とカバー布１３を升目状に縫製することで矩形の小袋部１７を形成し、各矩形の小袋にそれぞれ冷却プレート１２を収容している。このように収容することで、冷却プレート１２は、互いの辺を隣り合わせた状態で縦横に規則正しく配列されることが可能となる。なお、カバーシートとしてのカバー布１３は、冷却プレート１２がペット等の体温を吸収しやすいように、例えばナイロンのような薄地のものが好適である。
【００２５】
クッション体１５は、冷却シート材１８の網状シート１１の下側に設けられている。冷却シート材１８の網状シート１１の下側に下面シート１４を配し、それらを縫製することで形成された袋にクッション素材としての無数の可撓性合成樹脂製の薄肉短筒片１５ａを充填することによって構成されている。また、薄肉短筒片１５ａは、冷却シート材１８の網状シート１１の通気口よりも大きい寸法で形成される。なお、下面シート１４は、網状のシートその他通気口を有する通気シートで構成するのが好適であるが、本発明は、これらに限定されるものではない。
【００２６】
以上の構成でなるクッション１０によれば、網状シート１１の通気口を通して、冷却プレート１２とクッション体１５との間で空気の移動が自由にできる。そのため、ペットから吸収した冷却プレート１１の熱を、通気性の良好なクッション体１５側に有効に逃がすことができ、高い放熱性能を発揮できる。特に、冷却プレート１２として、アルミニウム板を使用すれば、従来例の枕のように陶磁器製の駒を使った場合とは比較にならないほどの冷たい感触を長時間に亘り持続的に提供することができる。また、多数枚の冷却プレート１２を網状シート１１を介してクッション体１５の上に配列しているため、柔軟で弾力性のある乗り心地を提供することができる。
【００２７】
なお、冷却プレート１２としては、アルミニウム板の他に、より高い熱伝導性を有する銅板や銀板を使用することもでき、その他の冷感を与える材質を選択することもできる。特に銅製の冷却プレートを使用した場合は、銅による殺菌効果も期待できるため、ペット用の敷物として衛生面で好適である。
【００２８】
また、本発明によるクッション１０は、クッション体１５として、網状シート１１及び下面シート１４で構成した袋に無数の可撓性合成樹脂製の薄肉短筒片１５ａを充填したものを使用しているので、良好な柔軟性を確保するとともに、クッション体１５の内部に適度な空間（隙間）を設けることができ十分な熱交換性を期待することができる。
【００２９】
また、網状シート１１の上に薄地のカバー布１３を被せ、網状シート１１とカバー布１３を升目状に縫製することで形成した矩形の小袋部１７に冷却プレート１２をそれぞれ収容しているので、縫製の手間を最小限にしながら多数枚の冷却プレート１２を密に並べることができ、冷感の増進に貢献でき、体裁よく低コストに冷却プレート１２を保持することもできる。また、冷却プレート１２をカバー布１３で覆っているから、外観上の要請からくる冷却プレート１２の表面仕上を省略することが可能であり、その点でもコストダウンに貢献できる。また、カバー布１３に防水処理を施しておけば、衛生面での性能向上も図ることができる。
【００３０】
なお、前記冷却部材は、下面側に凸部及び／又は凹部を形成するようにしてもよい。図３に示す冷却部材としての冷却プレート１２Ｂのように、表面積拡大のための凹部１２ｓを形成したり、逆に凸部（不図示）を形成してもよい。この構成によれば、上面と下面の表面積が増えるので、吸熱性能と放熱性能を向上させることができる。凹部１２ｓ及び／又は凸部（不図示）は、プレスにより簡単に加工できるので、プレスで冷却プレート１２Ｂを製作する場合、その製作工程に若干の工程を追加するだけで容易に実現可能である。
【００３１】
また、前記冷却部材は、下面側に放熱フィンを形成するようにしてもよい。図４に示す冷却部材としての冷却プレート１２Ｃのように、下面に放熱フィン１２ｔを突設した構成とすれば、冷却プレート１２Ｃの下面の表面積が増えるので、放熱性能を向上させることができる。また、冷却プレート１２Ｃとして押出成形品を使用する場合には、放熱フィン１２ｔがありながらも、量産する場合のコストアップを極力抑制することができる。
【００３２】
また、図５に示す冷却プレート１２Ｄのように、両端の放熱フィン１２ｔにフック１２ｕを形成しておき、フック１２ｕを、網状シート１１に形成した開口１１ｈの縁に係止させることで、冷却プレート１２Ｄを固定するように構成することも可能である。このように構成した場合、カバー布１３の省略も可能となり、さらに通気性・放熱性の向上を図ることができる。
【００３３】
また、冷却プレートの並べ方については、図６（ａ）に示すように、矩形の冷却プレート１２を使用する場合は、前記実施形態のように縦横方向に列状の配列によれば、密な配置ができ冷却性及び生産性の向上を図ることができるため好適である。なお、図６（ｂ）に示すように、円形や楕円形の冷却プレート１２Ｊを使用すれば、プレート配列層の柔軟性の向上がよくなり、また、（ｃ）に示すように矩形以外の多角形状、例えば六角形の冷却プレート１２Ｋを使用することによっても、密に並べることができる。
【００３４】
図７は、前記実施形態のクッション１０をマット本体として使用したペット用のマット枠の例を示している。このマット枠は、発泡樹脂を芯材とした枠体３０と、マット本体としてのクッション１０と、クッション１０を収容する外袋２０とからなる。図８に示すように、外袋２０は、防水性を有するポリエステルその他の合成樹脂による上面布（防水布）２１と、通気シートとしての網状の下面シート２２とで形成した袋であり、側縁開口には閉止用ファスナー２３がついている。
【００３５】
図９に示すように、枠体３０は、芯材を発泡樹脂３１ａで構成し、その外側を布材３１ｂで被覆した枠本体３１と、枠本体３１の底面に張った通気シートとしての網状シート３２（必ずしも網状でなくてもよい。）で構成してあり、クッション１０を外袋２０に入れた上で、枠体３０の底面の網状シート３２の上に配置することにより、ペット用マット枠が構成されている。なお、外袋２０に入れずに直接、クッション１０を枠体３０の底面の網状シート３２の上に配置してもよい。このように、前記実施形態のクッション１０を枠体３０の底面の網状シート３２の上に載せたので、底面側の通気を確保することができ、枠体３０に収めた状態でも、冷却プレート１２の放熱性を高く維持することができる。また、クッション１０を外袋２０に入れて使用すれば、ペット等の排泄物等によって、クッション１０を直接汚すことがない。
【００３６】
図１０はクッション１０の製造方法の例を示している。この製造方法では、まず、図１０（ａ）に示すように、網状シート１１とカバー布１３により、冷却プレート１２を入れる大袋１０１を作る。網状シート１１の上にカバー布１３を重ねて、周縁部を、横方向の２本の縫製線Ｃ１、Ｃ１とこれら２本の縫製線Ｃ１、Ｃ１の一端同士を連結する縦方向の１本の縫製線Ｃ２とでコ字状に縫製することにより、１辺が開口（開口１０１ａ）して冷却プレート１２を収容する矩形の大袋１０１を形成する。
【００３７】
次に、図１０（ｂ）に示すように、大袋１０１の互い対向する横方向の２本の縫製線Ｃ１、Ｃ１の間に、前記縫製線Ｃ１、Ｃ１と略平行に、間隔的に複数の横方向の縫製線Ｃ３で結合することにより、大袋１０１を、同じ側に開口を有して略平行に並ぶ複数の横長袋１０２に分割する。
【００３８】
次に、図１０（ｃ）に示すように、各横長袋１０２の奥端に冷却プレート１２を１列分だけ挿入し、図１０（ｄ）に示すように、挿入した冷却プレート１２の端の手前の位置で縦方向の縫製線Ｃ４による縫製を行うことにより、冷却プレート１２を抜け止めする。そして、冷却プレート１２の列毎の挿入と冷却プレート１２の抜け止めのための横方向の縫製線Ｃ４による縫製とを繰り返すことで、最終的に全数の冷却プレート１２の収容を完了させる。
【００３９】
次に図１０（ｅ）に示すように、冷却プレート１２を上側に有する網状シート材１１の下面側に、更に下面シート１４を縫製して、クッション素材としての薄肉短筒片１５ａを入れる袋１０４を作る。そして、最後にその袋１０４の中に無数の薄肉短筒片１５ａを充填して、入口を閉じることでクッション体１５を構成し、図１０（ｆ）に示す完成品の冷感クッション１０を得る。もちろん、製造方法はこの例に限定されずに、任意に選ぶことができる。また、前記の製造方法では、カバー布１３の全面に亘り小袋部１７を設けて冷却プレート１２を収容する構成のものを示したが、図１（ａ）に示すクッション１０のように、カバー布１３の周縁部には小袋部１７を設けないようにして製造するようにしてもよい。
【００４０】
次にいくつかの変形例について簡単に説明する。前記実施の形態では、カバー布１３で冷却プレート１２の上面を全部覆う場合を示したが、図１１に示すように、カバー布１３に冷却プレート１２毎の開口１３ａを設けて、冷却プレート１２の一部が露出するようにしてもよい。そうすれば、クッション１０の上にペットがのった際に冷却プレート１２に直接触れることができ、冷感が増す。
【００４１】
また、図１２に示すクッション１０Ｂのように、直接冷却プレート１２を接着剤によって網状シート１１に貼り付けて冷却シート材１８を構成し、カバー布１３を省略してもよい。この場合も、ペットが冷却プレート１２に直接触れるので、吸熱による冷却効果が高くなる。
【００４２】
また、図１３に示すクッション１０Ｃのように、クッション体１５Ｂを、上面材として新たに通気シートとしての網状シート１６を設け、それと網状の下面シート１４との組み合わせで袋を形成し、その中へ薄肉短筒片１５ａを充填することで、冷却シート材１８とは別体で構成し、冷却シート材１８とクッション体１５Ｂとをファスナー１２１、１２２等を介して着脱自在に結合してもよい。
【００４３】
このように冷却プレート１２を含む冷却シート材１８とクッション体１５Ｂとを別体で構成してファスナー１２１、１２２を介して着脱自在に結合しているので、必要なときだけ冷感クッション仕様とすることができるし、冷却プレート１２を含むシート材１８だけを、洗濯したり干したりすることもできる。
【図面の簡単な説明】
【００４４】
【図１】本発明の実施形態の構成図で、（ａ）は実施形態のクッション１０の一部を破断して示す斜視図、（ｂ）はクッション１０の材料構成を示す模式図である。
【図２】クッションに使用する冷却プレート１２の例を示す斜視図である。
【図３】冷却プレートの他の例を示す部分斜視図である。
【図４】冷却プレートの更に他の例を示す部分斜視図である。
【図５】冷却プレートの更に他の例を示す部分斜視図である。
【図６】冷却プレートの配列の仕方の例（ａ）乃至（ｃ）を示す図である。
【図７】クッションをマット本体として使用したペット用マット枠の分解斜視図である。
【図８】図７のマット枠を構成する外袋の断面図である。
【図９】図７のマット枠を構成する枠体の断面図である。
【図１０】クッションの作り方の例を示す図である。
【図１１】本発明のクッションの変形例を示す部分平面図である。
【図１２】本発明のクッションの他の変形例を示す部分平面図である。
【図１３】本発明のクッションの更に他の変形例を示す部分平面図である。
【図１４】従来の冷感作用のある枕の例を示す部分断面図である。
【図１５】従来の冷感作用のある枕の他の例を示す部分断面図である。
【符号の説明】
【００４５】
１０，１０Ｂ，１０Ｃ，１０Ｄ  クッション（マット本体）
１１  網状シート（通気シート）
１２，１２Ｂ，１２Ｃ，１２Ｄ，１２Ｊ，１２Ｋ  冷却プレート（冷却部材）
１２ｓ  凹部
１２ｔ  放熱フィン
１３  カバー布（カバーシート）
１４  下面シート（通気シート）
１５，１５Ｂ  クッション体
１５ａ  薄肉短筒片（クッション素材）
１８  冷却シート材
１７  小袋部
２０  外袋
２１  外袋上面側
２２  外袋下面側（通気シート）
３０  枠体
３２  底面部（通気シート）
１０１  大袋
１０１ａ，ｂ  開口
１０２  横長袋
Ｃ１，Ｃ３  横方向の縫製線（結合線）
Ｃ２，Ｃ４  縦方向の縫製線（結合線）
【図１】
2006198153.tif 000003
【図２】
2006198153.tif 000004
【図３】
2006198153.tif 000005
【図４】
2006198153.tif 000006
【図５】
2006198153.tif 000007
【図６】
2006198153.tif 000008
【図７】
2006198153.tif 000009
【図８】
2006198153.tif 000010
【図９】
2006198153.tif 000011
【図１０】
2006198153.tif 000012
【図１１】
2006198153.tif 000013
【図１２】
2006198153.tif 000014
【図１３】
2006198153.tif 000015
【図１４】
2006198153.tif 000016
【図１５】
2006198153.tif 000017